(57)【特許請求の範囲】
【請求項１】
電子デバイスであって、
フレキシブル支持体と、前記フレキシブル支持体に電気的に接続される制御ユニットとを含み、前記フレキシブル支持体は、複数の順にヒンジ接続される支持部を含み、
前記制御ユニットは動作信号を受信し、前記動作信号によって対応する制御信号を生成し、
複数の前記支持部は、前記制御信号によってヒンジ回転されて相対位置を形成することにより、前記フレキシブル支持体は対応する変形を発生することを特徴とする電子デバイス。
【請求項２】
前記制御ユニットは、プロセッサと、電源制御チップとを含み、
前記プロセッサは前記動作信号を受信するように構成され、且つ前記動作信号によって前記制御信号を生成し、前記制御信号を前記電源制御チップに送信し、
前記電源制御チップは、前記制御信号によって各支持部に対応する電気信号を出力して各支持部の相対位置を制御することにより、前記フレキシブル支持体の変形を形成するように構成されていることを特徴とする請求項１に記載の電子デバイス。
【請求項３】
さらに感知情報を得るための感知ユニットを含み、  前記感知情報は予め設定した条件に一致すると、動作信号を生成し、  前記制御ユニットは前記動作信号に対応した前記制御信号を生成することを特徴とする請求項１に記載の電子デバイス。
【請求項４】
前記感知ユニットは、距離センサを含み、  前記距離センサは、ウェア部位と前記距離センサとの間の距離を検知するように構成され、  前記ウェア部位と前記距離センサとの間の距離は、予め設定した距離より小さいまたは予め設定した距離と同じである場合、前記動作信号を生成し、  前記制御ユニットは、前記フレキシブル支持体が折り曲がることを駆動するように、前記動作信号によって前記制御信号を生成することを特徴とする請求項３に記載の電子デバイス。
【請求項５】
前記感知ユニットは光度の変化を感知するための光センサを含み、  光度の変化は、予め設定した条件に一致すると、前記動作信号を生成し、  前記制御ユニットは、前記フレキシブル支持体が折り曲がることを駆動するように、前記動作信号によって前記制御信号を生成することを特徴とする請求項３に記載の電子デバイス。
【請求項６】
前記感知ユニットは、圧力センサを含み、  前記圧力センサは受けた圧力が予め設定した圧力より大きいまたは予め設定した圧力と同じである場合、前記動作信号を生成し、  前記制御ユニットは、前記フレキシブル支持体が展開することを駆動するように、前記動作信号によって前記制御信号を生成することを特徴とする請求項３に記載の電子デバイス。
【請求項７】
さらに着信検出ユニットと電話応答ユニットを含み、  前記着信検出ユニットは、着信信号を検出するように構成され、着信信号を検出すると、前記動作信号を生成し、  前記制御ユニットは、前記フレキシブル支持体が展開することを駆動するように、前記動作信号によって前記制御信号を生成し、  電話応答ユニットは、前記着信信号及び／又は前記制御信号によって電話に応答することを特徴とする請求項１に記載の電子デバイス。
【請求項８】
さらに着信検出ユニット、メニュー取得ユニット、指示検出ユニット、及び電話応答ユニットを含み、  前記着信検出ユニットは、着信信号を検出するように構成され、  メニュー取得ユニットは、前記着信検出ユニットが着信を検出する時に制御メニューを取得するように構成され、  前記指示検出ユニットは、前記制御メニューにおける操作を検出するように構成され、且つ前記操作によって前記動作信号を生成し、前記操作は、電話に応答する操作又は電話を切る操作を含み、  前記制御ユニットは、前記フレキシブル支持体が展開することを駆動するように、応答信号によって前記制御信号を生成し、  電話応答ユニットは、前記制御信号によって電話に応答することを特徴とする請求項１に記載の電子デバイス。
【請求項９】
さらにメッセージ検出ユニットを含み、  前記メッセージ検出ユニットはメッセージ信号を検出するように構成され、メッセージ信号を検出すると、前記動作信号を生成し、  前記制御ユニットは、平に展開状態または波形状態に前記フレキシブル支持体が展開することを駆動するように、前記動作信号によって前記制御信号を生成することを特徴とする請求項１に記載の電子デバイス。
【請求項１０】
さらに提示ユニットを含み、  前記提示ユニットは、予め設定した提示状態を検出すると、前記動作信号を生成し、  前記制御ユニットは、連続的な這う状態に前記フレキシブル支持体が展開することを駆動するように、前記動作信号によって前記制御信号を生成することを特徴とする請求項１に記載の電子デバイス。
【請求項１１】
各支持部に電磁気モジュールが設けられ、隣接する支持部の電磁気モジュールの吸着によって、隣接する支持部を駆動してヒンジ回転することにより、各支持部の相対位置を形成することを特徴とする請求項２に記載の電子デバイス。
【請求項１２】
さらにフレキシブルディスプレイスクリーンを含み、  前記フレキシブルディスプレイスクリーンは、前記フレキシブル支持体上に設けられ、前記制御ユニットに電気的に接続されることを特徴とする請求項１に記載の電子デバイス。
【請求項１３】
前記フレキシブル支持体は、前記制御ユニットにおける対向する両側に位置する第一支持体と第二支持体とを含み、前記第一支持体及び第二支持体は、物理的及び電気的に前記制御ユニットに接続されることを特徴とする請求項１に記載の電子デバイス。
【請求項１４】
さらに前記制御ユニットにおける対向する両面に位置する圧力センサと距離センサとを含み、前記距離センサは、ユーザのウェア部位に向くことを特徴とする請求項１に記載の電子デバイス。
【請求項１５】
前記制御ユニットは、前記フレキシブル支持体の対向する端部にそれぞれに接続される二つの封止体を含み、一つの封止体は受話器を含み、もう一つの封止体は送話器を含むことを特徴とする請求項１に記載の電子デバイス。
【発明の詳細な説明】
【技術分野】
【０００１】  本発明は電子技術分野に関し、特に電子デバイスに関する。
【背景技術】
【０００２】  近年、スマートウェアラブルデバイスは、電子デバイスの一種として多く検討され、かつ、応用されつつある。コンピュータソフトウェア、コンピュータ識別ハードウェア、及びインターネット技術の急速な発展につれて、スマート電子デバイスの形態は多様化になり始め、工業、医療、軍事、教育、日常生活などの分野で重要な応用ポテンシャルを示した。通常、特定の電子デバイスの形状は相対的に固定され、スマートウェアラブルデバイスに対しても、ユーザの腕または他の部位に付けられる可変形態を有する要求において、従来技術は物理構造によって相対的な可変形態を形成することを提案したが、当該方式では、電子デバイスがウェアラブル状態、取り外され得る状態を有するために、ユーザが関連の物理的機構を操作する必要があり、物理構造の変更を実現させる。しかし、当該方式の形態変化は、ユーザが物理的機構の操作によってウェアラブル状態を実現することのみを提供した。
【発明の概要】
【０００３】  本発明の実施形態が解決しようとする技術問題は、制御ユニットによって電気的に制御されて変形する電子デバイスを提供することにある。
【０００４】  第１技術手段において、本発明は電子デバイスを提供し、当該電子デバイスがフレキシブル支持体と、フレキシブル支持体に電気的に接続される制御ユニットとを備える。
【０００５】  前記制御ユニットは、動作信号を受信し、且つ前記動作信号によって対応する制御信号を生成する。
【０００６】  前記フレキシブル支持体は、前述制御信号によって、対応する変形を発生する。
【０００７】  前記実施形態による電子デバイスは、動作信号によって前記フレキシブル支持体が変形することを制御する制御信号を生成する。電気的制御の変形を実現し、電子デバイスのインテリジェント化を向上する。
【０００８】  本発明の実施形態又は従来技術の技術手段をより明瞭に説明するため、以下、本発明の実施形態に必要な添付図面を簡単に紹介する。以下に説明される添付図面は、明らかに本発明の一部の実施形態に関するもののみであり、当業者は、創造的な努力なしに、これらの図面に基づいて他の図面を得ることができる。
【図面の簡単な説明】
【０００９】
【図１】図１は、本発明の好ましい実施形態による電子デバイスの構造の概略図である。
【図２】図２は、本発明の好ましい実施形態による電子デバイスのモジュールの概略図である。
【図３】図３は、本発明の好ましい実施形態による第一支持体及び第二支持体の構造の概略図である。
【図４】図４は、本発明の好ましい実施形態の電子デバイスが平に展開する状態からウェア状態に変わる過程の概略図である。
【図５】図５は、本発明の好ましい実施形態の電子デバイスが平に展開する状態からウェア状態に変わる過程の概略図である。
【図６】図６は、本発明の好ましい実施形態の電子デバイスが平に展開する状態からウェア状態に変わる過程の概略図である。
【図７】図７は、本発明の好ましい第一実施形態による前述電子デバイスの第一支持体及び第二支持体に変形が生じて形成する形状の概略図である。
【図８】図８は、本発明の好ましい第二実施形態による前述電子デバイスの第一支持体及び第二支持体に変形が生じて形成する形状の概略図である。
【図９】図９は、本発明の好ましい第三実施形態による前述電子デバイスの第一支持体及び第二支持体に変形が生じて形成する形状の概略図である。
【図１０】図１０は、本発明の好ましい第四実施形態による前述電子デバイスの第一支持体及び第二支持体に変形が生じて形成する形状の概略図である。
【発明を実施するための形態】
【００１０】  以下、本発明の実施形態に係る添付図面を参照しながら、本発明の実施形態に係る技術手段について明瞭に、完全に説明する。説明される実施形態は、明らかに本発明のすべての実施形態ではなく、一部の実施形態のみである。本明細書に説明される実施形態から創造的な努力なしに当業者が得ることができるすべての別の実施形態は、本発明の範囲に入るものとする。
【００１１】 図１を参照し、図１は、本発明の好ましい実施形態による電子デバイスの構造の概略図である。前記電子デバイス１０はスマートウェアラブルデバイスであってもよいがこれに限定されない。例えば、前記スマートウェアラブルデバイスはスマートウェアラブル携帯電話である。前記電子デバイス１０は、フレキシブル支持体１００と、フレキシブル支持体１００に接続される制御ユニット１１０とを備える。
【００１２】  本実施形態において、制御ユニット１１０は封止体を形成し、フレキシブル支持体１００に接続される。フレキシブル支持体１００は、第一支持体１３０と第二支持体１５０とを備える。当該封止体の制御ユニット１１０は、第一側面１１１と、第一側面１１１に対向して設けられる第二側面１１２とを備える。第一支持体１３０は第一側面１１１によって制御ユニット１１０に接続され、第二支持体１５０は第二側面１１２によって制御ユニット１１０に接続され、理解できるのは、当該接続は電気的な接続を含み、当該実施形態における封止体の制御ユニット１１０は、さらに機構の接続を含み、第一支持体１３０及び第二支持体１５０は、それぞれ制御ユニット１１０によって生成される制御信号の制御下で変形を発生することができる。また、電子デバイス１０は、さらにフレキシブルディスプレイスクリーン１７０を備え、具体的には、フレキシブルディスプレイスクリーン１７０はタッチフレキシブルスクリーンであってもよい、フレキシブルディスプレイスクリーン１７０はフレキシブル支持体１００上に設けられ、且つ制御ユニット１１０に電気的に接続される。
【００１３】 図２と図３を参照し、図２は、本発明の好ましい実施形態による電子デバイスのモジュールの概略図である。図３は、本発明の好ましい実施形態による第一支持体及び第二支持体の構造の概略図である。当該実施形態において、制御ユニット１１０は、プロセッサ１１５と、電源制御チップ１１６とを備える。第一支持体１３０は、複数の順にヒンジ接続される第一支持部１３１を備え、第二支持体１５０は、複数の順にヒンジ接続される第二支持部１５１を備える。プロセッサ１１５は電源制御チップ１１６と電気的に接続され、プロセッサ１１５が動作信号を受信するように構成され、動作信号によって対応する制御信号を生成し、且つ制御信号を電源制御チップ１１６に送信する。各第一支持部１３１及び各第二支持部１５１がヒンジ回転されて相対位置を形成するために制御されるように、電源制御チップ１１６は制御信号によって各第一支持部１３１及び各第二支持部１５１に対応する電気信号を提供する。具体的に、異なる動作信号は異なる制御信号に対応し、各制御信号は、各第一支持部１３１及び各第二支持部１５１に対応する異なる電気信号の制御ルールをそれぞれに備えるため、電源制御チップ１１６は、対応する電気信号を各第一支持部１３１及び各第二支持部１５１に出力して特定の相対位置を形成するように制御し、フレキシブル支持体１００の特定の形態を構成する。
【００１４】  本実施形態において、第一支持体１３０及び第二支持体１５０は帯状ある。一実施形態として、第一支持体１３０と第二支持体１５０のそれぞれは、複数の第一支持部１３１及び第二支持部１５１によってヒンジ接続されるように構成される。第一支持部１３１及び第二支持部１５１の上に電磁気モジュールが設けられ、第一支持部１３１及び第二支持部１５１の電磁気モジュールと、隣接する第一支持部１３１及び隣接する第二支持部１５１の電磁気モジュールとの吸着によって変形を構成し、すなわち、隣接する第一支持部１３１及び隣接する第二支持部１５１を駆動してヒンジ回転されるように相対位置を形成する。
【００１５】  当該実施形態において、封止体の制御ユニット１１０を例示として、すなわち、制御ユニット１１０の素子は封止体において収容されるように物理的なユニットを形成し、フレキシブル支持体１００に設けられ、これによって、フレキシブル支持体１００を第一支持体１３０及び第二支持体１５０の二つの部分に分けるが、本発明はこれに限定されない。図３の実施形態のように、封止体の制御ユニット１１０は、電子デバイス１０の両端に設けられ、封止体１１０Ａ、１１０Ｂを形成し、封止体１１０Ａ、１１０Ｂのそれぞれは、プロセッサ１１５、電源制御チップ１１６を収容するように構成され、すなわち、制御ユニット１１０は物理的に構造の分離された部分であってもよく、電気的な接続によって通信を実現できればよい。さらに、当該封止体の制御ユニット１１０の実施形態において、他の素子を収容してもよい。例えば、１つの端部の封止体１１０Ａは受話器をさらに含み、もう１つの端部の封止体１１０Ｂは送話器などの素子をさらに含む。具体的な製品形態によって、一つの端部のみに封止体が設けられ、それに対応して、一つのみの支持体が必要であることを理解すべきである。二つの端部に封止体が設けられる場合、封止体１１０Ｂにおける素子は、支持体のＦＰＣを貫通して別の封止体１１０Ａに電気的に接続され得る。言うまでもなく、複数の封止体を設けてもよく、それに対応して、複数の支持体が設けられることによって複数の封止体を接続させる。すなわち、制御ユニット１１０の実体的な形式は、具体的な製品形状によって多様に設けられ得る。他の実施形態において、封止体を採用しなくてもよく、すなわち、制御ユニット１１０が含む素子は、フレキシブル支持体１００により構成される空間に設けられ得る。
【００１６】  別の実施形態において、第一支持部１３１及び第二支持部１５１にモーターが設けられ得る。モーターによって、隣接する第一支持部１３１及び隣接する第二支持部１５１の間のヒンジ回転を駆動し、各支持部によって相対位置を形成してフレキシブル支持体１００の全体の形態を構成する。
【００１７】  フレキシブル支持体１００は複数の順にヒンジ接続される支持部（前記のように第一支持部１３１、第二支持部１５１）を採用し、各支持部の相対位置の変形方式を制御するように、電源制御チップ１１６が制御信号によって対応する電気信号を各支持部に出力する以外に、他の実施形態において、フレキシブル支持体１００も電歪材料からなってもよく、すなわち、電気信号によって材料の変形を制御する。
【００１８】 図４から図６までを参照し、図４〜図６は、本発明の好ましい実施形態の電子デバイスが平に展開する状態からウェア状態に変わる過程の概略図である。当該電子デバイスは、さらに感知情報を得るための感知ユニット１１７を備え（図２に示す）、感知情報が予め設定した条件に一致すると、動作信号を生成する。制御ユニット１１０は動作信号によって動作信号に対応した制御信号を生成する。
【００１９】  感知ユニット１１７は、距離センサ１１７１を備える。以下、前記実施形態の封止体の制御ユニット１１０を合わせてそれらの原理を説明する。距離センサ１１７１は、封止体の制御ユニット１１０の第一表面１１３の上に設けられ、すなわち、ウェア部位に近くの表面に設けられる。距離センサ１１７１の位置は柔軟に設けられ得、第一表面１１３が限定されず、フレキシブル支持体１００などの、電子デバイスに近いウェア部位の位置を感知することができる位置に設けられ得、好ましくは、電子デバイスに近いウェアのための面での位置に設けられることを理解すべきである。距離センサ１１７１は、ウェア部位２００（例えば、ユーザの手首）と距離センサ１１７１との間の距離を検知するように構成され、ウェア部位２００と距離センサ１１７１との間の距離は、予め設定した距離より小さいまたは予め設定した距離と同じである場合、距離センサ１１７１はウェア状態の動作信号を生成する。プロセッサ１１５はウェア状態の動作信号を受信し、当該動作信号によって折り曲がる変形の制御信号を生成する。前記実施形態を組み合わせて、電源制御チップ１１６は折り曲がる変形の制御信号によって、対応する電気信号を第一支持体１３０及び第二支持体１５０に出力して変形が生じ、ウェア状態を形成する。具体的に、前記の支持部ヒンジ接続の方式を採用する時、すなわち、対応する各支持部は電気信号を出力して各支持部の間の相対位置を制御し、フレキシブル支持体１００の全体の形状を構成する。当該実施形態において、ウェア状態はフレキシブル支持体１００がウェア部位２００を囲む状態を備える。
【００２０】  他の実施形態において、感知ユニット１１７は光センサ１１７２を備え、すなわち、光センサ１１７２によって光度の変化を感知してフレキシブル支持体１００を変形が生じるように制御する。光センサ１１７２は、第一表面１１３に設けられる場合、光線の強度が弱まり、具体的に、光線強度の弱まりの範囲を判断することができ、または予め設定した時間内の光線強度の変化が閾値に達するかどうかを判断するなどの方式を含む。一旦予め設定した条件に一致すると、ウェア状態の動作信号を自動的に生成し、制御ユニット１１０は当該動作信号によって折り曲がる変形の制御信号を生成し、フレキシブル支持体１００が変形してウェア状態を形成するように制御する。
【００２１】  感知ユニット１１７は、さらに圧力センサ１１７３を備えてもよい。圧力センサ１１７３が受けた圧力が予め設定した圧力より大きいまたは予め設定した圧力と同じである場合、平に展開する状態の動作信号を生成し、制御ユニット１１０は動作信号によって平に展開する変形の制御信号を生成し、フレキシブル支持体１００が変形して平に展開する状態を形成するように制御する。当該実施形態において、平に展開する状態は、第一支持体１３０において、互いに隣接する支持部１３１の間の夾角が第一予め設定した夾角より小さいまたは第一予め設定した夾角と同じであり、且つ第一支持体１３０において第一側面１１１に設けられる第一支持部１３１と第一側面１１１とのボーダーが第二予め設定した夾角より小さいまたは第二予め設定した夾角と同じであることと、第二支持体１５０において、互いに隣接する支持部１５１の間の夾角が第三予め設定した夾角より小さいまたは第三予め設定した夾角と同じであり、且つ第二支持体１５０において第二側面１１２に設けられる第二支持部１５１と第二側面１１２との夾角が第四予め設定した夾角より小さいまたは第四予め設定した夾角と同じであることとを含む。第一予め設定した夾角、第二予め設定した夾角、第三予め設定した夾角および第四予め設定した夾角の角度はかなり小さく、例えば、５°であってもよいがこれに限定されない。この場合、第一支持体１３０及び第二支持体１５０はより平らで、この時、電子デバイス１０はウェア部位から取り外され得る。好ましくは、第一予め設定した夾角、第二予め設定した夾角、第三予め設定した夾角および第四予め設定した夾角の角度が０度であることにより、第一支持体１３０、第二支持体１５０および封止体式制御ユニット１１０における第二表面１１４が第一表面１１３に対向して、平らな支持面を構成する。電子デバイスは、フレキシブルディスプレイスクリーン１７０を備える場合、平に展開する状態によって構成される支持面が、フレキシブルディスプレイスクリーンの平に展開する支持を提供することができる。
【００２２】  図２を参照して、電子デバイス１０は、着信検出ユニット１１９及び電話応答ユニット１２２をさらに備える。着信検出ユニット１１９は、着信信号を検出するように構成され、着信信号を検出すると、着信状態の動作信号を生成する。制御ユニット１１０は、動作信号によって平に展開する変形の制御信号を生成する。電話応答ユニット１２２は、着信信号及び／又は制御信号によって電話に応答する。具体的に、電話応答ユニット１２２は、着信検出ユニット１１９により検出された着信信号を含む着信信号によって、電話に自動的に応答することができ、同時に、制御ユニット１１０は、着信信号によって平に展開する変形の制御信号を生成する。電話応答ユニット１２２は、制御信号によって電話に自動的に応答することができ、すなわち、電話に応答しながら、平に展開する変形を行う。好ましくは、電話応答ユニット１２２は、制御信号を受けた予め設定した時間の後に電話に応答することができる。当該実施形態において、平に展開する状態は、取り外され得る形状または応答に適合する形状であってもよい。本実施形態において、着信検出ユニット１１９は着信信号を検出すると、制御ユニット１１０は、第一支持体１３０及び第二支持体１５０が変形して平に展開する状態を形成するように制御し、電子デバイス１０はウェア部位２００から取り外され得る。そして、電話応答ユニット１２２は、第一支持体１３０及び第二支持体１５０が変形して平に展開する状態を形成する、ある予め設定した時間の後に電話に応答することができるため、着信信号の自動的な応答を実現する。
【００２３】  他の実施形態において、電子デバイス１０は、着信検出ユニット１１９、メニュー取得ユニット１２３及び指示検出ユニット１２４を備える。着信検出ユニット１１９は着信信号を検出するように構成される。メニュー取得ユニット１２３は着信検出ユニット１１９が着信を検出した時に制御メニューを取得するように構成される。指示検出ユニット１２４は、制御メニューにおける操作を検出するように構成され、当該操作によって動作信号を生成し、当該操作は、電話に応答する操作及び／又は電話を切る操作を含み、電話に応答する操作は着信信号に応答するため、電話を切る操作は前記着信信号を切るためである。本実施形態において、着信検出ユニット１１９が着信信号を検出した時、メニュー取得ユニット１２３は制御メニューを取得してユーザに提供し、指示検出ユニット１２４はユーザの制御メニューにおける操作を検出し、ユーザの操作によって電話に応答し、または電話を切る。具体的に、指示検出ユニット１２４は電話応答の操作を検出すると、制御ユニット１１０は当該操作によって電話応答の制御信号と第一支持体１３０及び第二支持体１５０が変形して平に展開する状態を形成するように制御する制御信号とを生成することができ、そうすると、電話に応答しやすいために電子デバイス１０はウェア部位２００から取り外され得る。指示検出ユニット１２４は、電話を切る操作を検出すると、電話を切る制御信号のみを生成することができる。
【００２４】  電子デバイス１０は、提示ユニット１２６をさらに備え、当該提示ユニット１２６は予め設定した提示状態を検出すると、提示状態の動作信号を生成する。制御ユニット１１０は、動作信号によって変形を提示する制御信号を生成する。
【００２５】 一実施形態において、電子デバイス１０は、メッセージ検出ユニット１２５をさらに備える。メッセージ検出ユニット１２５はメッセージ信号を検出するように構成され、メッセージ信号を検出すると、メッセージ状態の動作信号を生成する。制御ユニット１１０は、動作信号によってリマインド変形及び／又は平に展開する変形の制御信号を生成する。また、メッセージ検出ユニット１２５は、メッセージ信号を検出すると、ユーザが返信を入力するかどうかをさらに検出するように構成される。ユーザは「返信」を選択、または、焦点が入力欄に入るなどの場合、ユーザが返信を入力しようとすると判断し、第一支持体１３０及び第二支持体１５０が変形して平に展開する状態を形成するように制御する制御信号を生成し、そうすると、入力を容易にするために電子デバイス１０がウェア部位から取り外され得る。メッセージは、他の電子デバイスのユーザから電子デバイス１０に送るメッセージであってもよく、事業者から電子デバイス１０に送るメッセージであってもよい。例えば、他の電子デバイスのユーザは電子デバイス１０に電話をかけ、電子デバイス１０がある環境の信号がよくない時、事業者は電子デバイス１０にメッセージを送ることによって、電子デバイス１０のユーザをリマインドする。一実施形態において、電子デバイス１０はメッセージを受けると、提示状態の動作信号をさらに生成することができ、更に第一支持体１３０及び第二支持体１５０を変形させる形状を制御するために、制御ユニット１１０は当該動作信号によってリマインド変形の制御信号を生成することができ、第一支持体１３０及び第二支持体１５０の前記変形の形状は連続的に変形する波状であってもよい。この時、第一支持体１３０及び第二支持体１５０は、平らな表面に置くと、第一支持体１３０及び第二支持体１５０が平らな表面において波状に這うような効果を生成するため、ユーザにリマインドする技術効果を達する。当該方式は、ウェア状態またはウェアではない状態における着信提示、リマインド提示などの応用と組み合わせてもよく、他の応用と組み合わせてもよく、具体的な応用タイプによって対応する変形形態を生成することを理解すべきである。
【００２６】  他の実施形態において、電子デバイス１０はメッセージを受けると、第一支持体１３０及び第二支持体１５０を変形させることを制御するために、前述制御ユニット１１０は異なる動作信号によって対応する制御信号を生成し、第一支持体１３０及び第二支持体１５０の前記変形の形状は、図７〜図１０に示すことを理解すべきである。図７に示すような電子デバイス１０の第一支持体１３０及び第二支持体１５０は、第一支持体１３０及び第二支持体１５０のそれぞれが、封止体式制御ユニット１１０と垂直であり、且つ封止体式制御ユニット１１０の両側にある形状を形成するように変形を発生する。第一支持体１３０と第一表面１１３とは９０°の夾角を形成し、第二支持体１５０と第二表面１１４とは９０°の夾角を形成する。または、第一支持体１３０と第二表面１１４とは９０°の夾角を形成し、第二支持体１５０と第一表面１１３とは９０°の夾角を形成する。例えば、当該形態を、ウェアではない時、メッセージを送る時に自動的に生成するリマインド変形に応用してもよい。図８に示すような電子デバイス１０の第一支持体１３０及び第二支持体１５０は、第一支持体１３０が、封止体式制御ユニット１１０と平行であり、第二支持体１５０と封止体式制御ユニット１１０とは夾角を形成する、形状を形成するように変形を発生する。第二支持体１５０と封止体式制御ユニット１１０と形成する夾角は、第二支持体１５０と封止体式制御ユニット１１０の第一表面１１３と形成する夾角であってもよく、第二支持体１５０と封止体式制御ユニット１１０の第二表面１１４と形成する夾角であってもよい。他の実施形態において、電子デバイス１０の第一支持体１３０及び第二支持体１５０は、電子デバイス１０の第一支持体１３０と封止体式制御ユニット１１０とは夾角を形成し、第二支持体１５０が封止体の制御ユニット１１０と平行な形状を形成するように変形を発生することを理解すべきである。第一支持体１３０と封止体式制御ユニット１１０と形成する夾角は、第一支持体１３０と封止体式制御ユニット１１０の第一表面１１３と形成する夾角であってもよく、第一支持体１３０と封止体式制御ユニット１１０の第二表面１１４と形成する夾角であってもよい。当該形態は、読みやすく、見やすい応用シナリオに応用してもよい。
【００２７】  図９に示すような電子デバイス１０の第一支持体１３０及び第二支持体１５０が変形して形成する形状は、以下のように説明する。第一支持体１３０は、第一部分１３２、第二部分１３３及び第三部分１３４を備える。第一部分１３２の１つの端部は封止体式制御ユニット１１０の第一側面１１１に接続され、第一部分１３２のもう１つの端部は第二部分１３３の１つの端部に接続され、且つ第一部分１３２と第二部分１３３とは、「Ｖ」字形を形成し、第二部分１３３のもう１つの端部は第三部分１３４に接続され、第三部分１３４が封止体式制御ユニット１１０と平行する。第二支持体１５０は、第四部分１５２、第五部分１５３及び第六部分１５４を備える。第四部分１５２の１つの端部が封止体式制御ユニット１１０の第二側面１１２に接続され、第四部分１５２のもう１つの端部が第五部分１５３の１つの端部に接続され、且つ第四部分１５２と第五部分１５３とは、「Ｖ」字形を形成し、第五部分１５３のもう１つの端部が第六部分１５４に接続され、第六部分１５４が封止体式制御ユニット１１０と平行する。本実施形態において、第四部分１５２と第五部分１５３とが形成する「Ｖ」字形と、第一部分１３２と第二部分１３３とが形成する「Ｖ」字形との開口方向が同じである。他の実施形態において、第四部分１５２と第五部分１５３とが形成する「Ｖ」字形と、第一部分１３２と第二部分１３３とが形成する「Ｖ」字形との開口方向が異なることを理解すべきである。該形状も、ウェア状態における提示変形に応用してもよい。
【００２８】  図１０に示すような電子デバイス１０の第一支持体１３０及び第二支持体１５０を変形させて形成する形状は、以下のように説明する。第一支持体１３０と封止体式制御ユニット１１０の第一表面１１３とは夾角を形成し、第二支持体１５０と封止体式制御ユニット１１０の第一表面１１３とは夾角を形成する。他の実施形態において、第一支持体１３０と封止体の制御ユニット１１０の第二表面１１４とは夾角を形成し、第二支持体１５０と封止体の制御ユニット１１０の第二表面１１４とは夾角を形成する。電子デバイス１０の第一支持体１３０及び第二支持体１５０を変形させて形成する形状は、図７〜図１０に示す形状に限定されないことを理解すべきである。
【００２９】  前記実施形態に説明する平に展開する状態の形式及び具体的な応用シナリオの制御組み合わせの方式は、本発明の原理を説明するために用いられ、本発明の平に展開する状態の範囲が取り外すための如何なる変形の形態を含む。電子デバイスは、変形構造及び電気的制御の特性に基づいて、様々な変形形態を柔軟に設置することができる。電子デバイスは、本発明の原理に基づいて、使用の習慣、必要によって、具体的な応用シナリオに関連して定義することができる。
【００３０】  本発明の電子デバイスの変形応用は、メッセージを受けること、着信することに限定されず、更に電子デバイスにおける他の応用の関連リマインド、通知などを含み、更に電子デバイスとの通信接続の他のデバイスにおけるリソースを受ける時の応用組み合わせをさらに含むことができる。前記通信接続は、ワイヤード、ワイヤレスの方式を含む。リソースを取得する方式は、電子デバイスが主動的に取得してもよく、他のデバイスのプッシュであってもよい。リソースは、他のデバイスのメッセージ、着信または他の応用のリマインド、通知などを含み、また、他のデバイスのマルチメディアリソースのプッシュ、ミラキャストなどであってもよい。
【００３１】  本発明の前記実施形態による電子デバイスは、一方、異なる動作信号によって異なる変形が生じ、電子デバイスが自動的なウェア及び取り外しを実現することができるため、ユーザの体験を向上し、また、具体的な応用シナリオによって、対応する変形をさせることができるため、電子デバイスのインテリジェント化を向上し、ユーザが使用しやすくなる。
【００３２】  前記の実施形態の説明によって、当業者は本発明がソフトウェア及び必要なハードウェアプラットフォームによって実現でき、ハードウェアのみで実施できることを理解することができる。このような理解に基づいて、本発明の技術手段は、背景技術に貢献する全部または一部が、ソフトウェア製品の形で示され得る。当該コンピュータソフトウェア製品は、記憶媒体に記憶され得、電子デバイス（ＰＡＤ、携帯電話、ヘッドホン、ウェアラブルデバイスなどを含む）が本発明の各実施形態または実施形態の一部に説明される方法を実行できるように、若干指示を含む。
【００３３】 なお、以上の実施形態は本発明の技術案を説明するために用いたに過ぎない、本発明の保護範囲はこれに限定されない。前述実施形態を参照して本発明を詳しく説明しましたが、本出願に開示された技術範囲を逸脱することなく、当業者が容易に得ることができる変化又は置換は、本発明の保護範囲に入るものと見なすべきである。したがって、本発明の保護範囲は、添付の特許請求の範囲を基準とする。
【図１】
0006470424.tif 000002
【図２】
0006470424.tif 000003
【図３】
0006470424.tif 000004
【図４】
0006470424.tif 000005
【図５】
0006470424.tif 000006
【図６】
0006470424.tif 000007
【図７】
0006470424.tif 000008
【図８】
0006470424.tif 000009
【図９】
0006470424.tif 000010
【図１０】
0006470424.tif 000011